(57)【要約】【課題】  施術師が筋肉・筋力反射検査を行なうに際して、精度の高い指標を与えて患者の障害部位の特定に効果的に寄与する筋肉・筋力反射検査用の機能表の提供を目的とする。【解決手段】  本考案の筋肉・筋力反射検査用の機能表は、筋肉反射検査若しくは筋力反射検査に使用される機能表であって、所定の検査項目を特定するためのイメージ部と、該イメージ部に隣接して配置されると共に所定の原点からの距離に依存する目盛部を具備したスケール部とを有してなることを特徴とする。機能表のスケール部の目盛を読みながら強弱の均衡をとり、具体的な患者の身体の障害部位を特定したり、患者の身体の状態を把握することができる。【選択図】  図１
0003130047.tif 000002
【実用新案登録請求の範囲】
【請求項１】
筋肉反射検査若しくは筋力反射検査に使用される機能表であって、所定の検査項目を特定するためのイメージ部と、
該イメージ部に隣接して配置されると共に所定の原点からの距離に依存する目盛部を具備したスケール部とを有してなることを特徴とする筋肉・筋力反射検査用の機能表。
【請求項２】
前記目盛部は複数の離散した数値を並べて構成されるものであることを特徴とする請求項１記載の筋肉・筋力反射検査用の機能表。
【請求項３】
前記目盛部の一部を被験者が接触して筋肉反射検査若しくは筋力反射検査が行なわれ、その検査結果に従って該被験者が接触する前記目盛部の一部をずらして再度検査が行なわれることを特徴とする請求項１記載の筋肉・筋力反射検査用の機能表。
【請求項４】
前記イメージ部及びスケール部は印刷物若しくは電子機器のモニター画面上に展開される画像であることを特徴とする請求項１記載の筋肉・筋力反射検査用の機能表。
【考案の詳細な説明】
【技術分野】
【０００１】
本考案は、カイロプラクテックなどの施術における筋肉反射検査若しくは筋力反射検査に使用されて好適な筋肉・筋力反射検査用の機能表に関し、特に精度良く被験者の障害部位を見出すことを可能にする筋肉・筋力反射検査用の機能表に関する。
【背景技術】
【０００２】
従来、カイロプラクテックなどの施術においては、患者の障害部位を特定するためや、或いは特定した障害部位の障害の程度を見出すために、筋肉反射検査や筋力反射検査などが行なわれることがある。この反射検査は、患者の外部からの刺激や要素が身体や精神面に作用した時に、何らかの反応を示すことを利用した検査であり、その反射を筋肉や筋力に置き換えて反応を調べるようになっている。良く知られている検査方法としては、所謂オーリングを用いた検査法があり、患者の親指と人差し指、中指、或いは薬指で形成した輪を引き離すように、カイロプラクターなどの施術師が力を加えて、その時に引き起こされる指の筋肉の瞬間的な緊張の緩みを調べる方法などがある。
【０００３】
ところで、このような施術を行なう場合においては、診察の際、身体のゆがみ、かたむきなどを説明することがある。しかし、患者自身には今ひとつ実感としてわからないのが実状であり、このような問題を解決するためのものとして、身体ゆがみチェック表が既知である（例えば、特許文献１参照。）。これはチェック表の足型の上に乗り、目隠しまたは目を閉じてももを高くあげ、手を大きく振り６０回位足踏みを行い、足踏みが終わったらその場を動かず、目隠しを取り目をあけて位置を確認し足のつま先がどの方向に向いているか、（角度）前後にどの位動いているか確認して身体のゆがみ、かたむき具合をチェックするものである。
【０００４】
また、身体の歪みの検査方法として、被検者の身体の各関節及び可動部位における自力動作の状態を測定し、動作が容易な動作方向と、困難な動作方向とを調べることにより、身体の歪みを調べるようにしたものも知られている（例えば、特許文献２参照。）。また、身体の各関節部位がわかるように模擬した、身体全体の仰向け状態とうつ伏せ状態とを表す模擬身体図を描き、該図の関節部位に数字と記号及び図形により動作状態及びその方向、そして静止状態での体形の状態を表記して記録するようにしたものも知られている。
【０００５】
【特許文献１】特開２００５−２６１８８１
【特許文献２】特開２００３−３１０５７６
【考案の開示】
【考案が解決しようとする課題】
【０００６】
ところで、上述の特許文献１に記載されるチェック表は、患者自身が身体のゆがみを把握する為のものであり、カイロプラクターの障害部位の検出精度を高めるものではなく、また、上述の特許文献２に記載される記録表は体形の状態を表記して記録するようには構成されているが、最初に静止状態での身体の記録が必要であり、実際の筋肉反射検査や筋力反射検査などの特定の検査に直ぐには適用できないのが現実である。
【０００７】
そこで、本考案の筋肉・筋力反射検査用の機能表は、施術師が筋肉・筋力反射検査を行なうに際して、精度の高い指標を与えて患者の障害部位の特定に効果的に寄与する筋肉・筋力反射検査用の機能表の提供を目的とする。
【課題を解決するための手段】
【０００８】
上述の技術的な課題を解決するため、本考案の筋肉・筋力反射検査用の機能表は、筋肉反射検査若しくは筋力反射検査に使用される機能表であって、所定の検査項目を特定するためのイメージ部と、該イメージ部に隣接して配置されると共に所定の原点からの距離に依存する目盛部を具備したスケール部とを有してなることを特徴とする。
【０００９】
このような検査を用いて検査を行なう場合には、施術師は例えば一方の手で患者の身体、筋力等の状態を触診し、同時にその他方の手の指で機能表のスケール部を接触するように扱う。次いで患者に先ほどの身体の状態とは少しずれた身体の状態に移行してもらい、再度患者の筋力等の状態を触診して移行後の身体の状態による筋力の変化を他方の手の指でバランスとして感ずるが、このときに機能表のスケール部の目盛を読みながら強弱の均衡をとり、具体的な患者の身体の障害部位を特定したり、患者の身体の状態を把握するのに寄与する。
【００１０】
本考案の筋肉反射検査若しくは筋力反射検査に使用される機能表における前記目盛部は複数の離散した数値を並べて構成されるものとすることができ、また、前記目盛部の一部を被験者が接触して筋肉反射検査若しくは筋力反射検査が行なわれ、その検査結果に従って該被験者が接触する前記目盛部の一部をずらして再度検査が行なわれる様に構成することも可能である。さらに、本考案の好適な実施形態に従えば、前記イメージ部及びスケール部は印刷物若しくは電子機器のモニター画面上に展開される画像とすることができる。
【考案の効果】
【００１１】
本考案の筋肉・筋力反射検査用の機能表を筋肉反射検査若しくは筋力反射検査に使用することで、僅かな筋力の差などを当該機能表上の目盛部の数値に当て嵌めながら把握することができ、患者の障害部位の特定に対して客観的で精度の高い指標を与えて効果的な施術を図ることができる。また、一般に、整体やカイロプラクティックなどの手技療法による施術者の場合には、蓄積した個々の施術者の臨床経験や知識の情報を患者に対して説明することが困難であるが、本考案の機能表を用いることで患者にビジュアル化したイメージ情報を比較的に容易に伝えることができ、施術についての説明を簡便に済ませることができる。
【考案を実施するための最良の形態】
【００１２】
本考案の筋肉・筋力反射検査用の機能表の好適な実施形態について、図面を参照しながら説明する。
【００１３】
図１は本考案の筋肉・筋力反射検査用の機能表の一例であり、足の長さの機能表である。この例では、足の長さについて左右に違いがある場合にどちらの足が短いかを判別できることになる。図中、イメージ部は右足１１と左足１２のイラストであり、スケール部１６，１７は、離散した数値を目盛部１８、１９に設けた構成とされる。
【００１４】
このような図表を施術に際して用いる。具体的には、所謂オーリング法により患者には親指と人差し指を組み合わせてリングを作ってもらい、そのリング部分での筋力を検知する。同様に、親指と中指、薬指、小指を順次組み合わせてリングを作ってそのリング部分での筋力を検知する。筋力の検知は、指同士の輪が広がる方向に施術者が力を加えて行なわれる。このとき患者には当該機能表の一部に指先で触ってもらい、その目盛の位置を種々変更しながら、筋力の検知を繰り返し、どの程度の障害かを検知することができる。また、他の検知方法も用いることができ、このような検知法を例示すると、膝を下げる筋力検査（膝下げ筋力検査）、腕を水平する筋力検査、上体を倒れるようにする筋力検査などがある。膝を下げる筋力検査では、患者が腰掛けた状態で当該患者の例えば左手の人指し指により本考案にかかる機能表の一部を触れてもらい、患者の右足の膝をやや上げ、その上げた膝を施術者が手で押し下げるときの筋力を検査するものである。腕を水平する筋力検査は、左手の人指し指で本考案にかかる機能表の一部を触れてもらった上で、患者に腕を水平に保ってもらい、この水平に保持された腕に対しての施術者が力を加えて筋力を検査するものである。また、上体を倒れるようにする筋力検査は、患者に機能表の一部を指先などで触れてもらった上で患者にその上体を倒れ込ませるようにしてもらい、これに抗するように施術者が押し返すことで筋力を検査するものである。このような各筋肉・筋力検査は以下に説明する各機能表で使用に際して適宜用いられるものである。
【００１５】
図２は本考案の筋肉・筋力反射検査用の機能表の一例であり、足首の疲労機能表である。この例では、右足、左足の各足首にかかる疲労度をパーセンテージで表示し、さらにその障害が内側か外側か、右足か左足に何パーセント機能低下が出ているかを検知させる。両足についてのイメージ部２１、２２が描かれており、これらのイメージ部２１、２２に隣接してスケール部２６、２７が設けられている。使用方法は、前述の筋肉・筋力反射検査などに際して用いられ、施術の精度を向上させることができる。
【００１６】
図３は本考案の筋肉・筋力反射検査用の機能表の一例であり、骨盤変異と機能低下率のチェック表である。この骨盤変異と機能低下率のチェック表では、骨盤がどのように変形しているか、右後方下方か左後方下方か、さらに内方か外方へ変形しているか、その機能は何パーセント低下しているかを判別する。ほぼ中央に骨盤を描いたイメージ部３１が形成され、下側には骨盤の各部位を示す６つの骨盤を描いたイメージ部３２が設けられている。また、イメージ部３１の左右にはそれぞれ各部位に対応したスケール部３６，３７が形成されている。
【００１７】
図４は本考案の筋肉・筋力反射検査用の機能表の一例であり、坐骨神経・大腿神経の機能表である。この坐骨神経・大腿神経の機能表を用いることで、坐骨神経、脛骨神経、総腓骨神経のどちら側に、どの程度何パーセント障害があるか、大腿部に何パーセント障害があるか、そして右側か左側かに障害があるか、何パーセントの機能低下が生じているかが判別される。ほぼ中央に矢印の形状を描いたイメージ部４１が形成され、その周囲には大腿神経用のスケール部４６、坐骨神経用のスケール部４９、脛骨神経用のスケール部４８、総腓骨神経用のスケール部４７が形成されている。
【００１８】
図５は本考案の筋肉・筋力反射検査用の機能表の一例であり、大腰筋機能表である。この大腰筋機能表を用いることで、大腰筋に障害があるか、右側に障害があるか、左側に障害があるか、さらにどの程度の機能低下があるかなど、大腰筋神経部もあわせてその割合が判定される。表中、右上側に大腰筋についてのイメージ部５１が形成され、その側部に大腰筋についてのスケール部５６が形成される。また、表の左下側に大腰筋の神経系についてのイメージ部５２が形成され、その側部に大腰筋神経についてのスケール部５７が形成される。
【００１９】
図６は本考案の筋肉・筋力反射検査用の機能表の一例であり、大殿筋機能表である。この大殿筋機能表を使用することで、大殿筋に障害があるか、右側に障害があるか、左側に障害があるか、さらにどの程度の機能低下があるか、或いは大殿筋の支配している神経の出口に機能低下を起こしていないかを判別する。図５の大腰筋機能表と同様に、左上側に大殿筋についてのイメージ部６１が形成され、その側部に大殿筋についてのスケール部６６が形成される。また、表の右下側に大殿筋の神経系についてのイメージ部６２が形成され、その側部に大殿筋神経についてのスケール部６７が形成される。
【００２０】
図７は本考案の筋肉・筋力反射検査用の機能表の一例であり、腰椎・仙椎機能表である。腰椎に障害があるか、どの腰椎に障害があるか、その障害は右側か左側か、そしてその機能低下は何％か、次に仙椎に障害が出ているか、そしてどの仙椎に障害がでているか、その機能低下は何％かを判別診断する。図７のほぼ中心に腰椎・仙椎のイメージ部７１が形成され、腰椎用のスケール部７６と仙椎用のスケール部７７が形成されている。
【００２１】
図８は本考案の筋肉・筋力反射検査用の機能表の一例であり、頚椎機能表である。この表を利用して、頚椎に障害が出ているか、その障害は右側か左側かを検査する。次に頚椎の障害を、頚椎１番から胸椎１番までを検査し、且つ機能低下の割合を検査していく。図８においては、頚椎を模したイメージ部８１が略中央部に描かれており、その左右にスケール部８６、８７が描かれている。
【００２２】
図９は本考案の筋肉・筋力反射検査用の機能表の一例であり、小脳機能低下率のチェック表である。この小脳機能低下率のチェック表を用いて、小脳の障害を検査することができ、先ず、左側か右側の障害かを検査する。次に、小脳の機能低下の割合を検査する。表においては、小脳を模したイメージ部９１が略中央部に描かれており、その左右に左側か右側の障害かを検査するためのスケール部９６、９７が描かれている。また、小脳の機能低下の割合を検査するためのスケール部９８も描かれている。
【００２３】
図１０は、本考案の筋肉・筋力反射検査用の機能表の一例であり、椎骨動脈及びＣ１〜Ｃ３の機能表である。一般に椎骨動脈の圧迫狭窄を確認することは容易ではないが、頚椎のずれにより鑑別が可能である。検査は、頚椎１番の回旋により、障害が右に出ているか左に出ているかを検査する。次にどの程度の圧迫状態となっているかという機能低下の割合を検査する。脳底動脈から椎骨動脈、大動脈にいたる動脈系がイメージ部１０１が描かれており、左側には各動脈上のポイントに応じたスケール部１０６が形成されている。
【００２４】
図１１は、本考案の筋肉・筋力反射検査用の機能表の一例であり、他の椎骨動脈機能表である。図１０と同様に、椎骨動脈に関する機能を検査するための表であるが、イメージ部１１１、１１２にはＭＲ（磁気共鳴）による写真が用いられている。また、これらイメージ部１１１、１１２の左右には、スケール部１１６、１１７が設けられている。
【００２５】
図１２は本考案の筋肉・筋力反射検査用の機能表の一例であり、脳幹部（脳神経）機能表である。この脳幹部（脳神経）機能表は、脳幹から発生する脳神経の機能を検査する表であり、脳神経１２本のうちの脳幹からの１０本を検査する。すなわち、脳神経３番動眼神経、脳神経４番滑車神経、脳神経５番三叉神経、脳神経６番外転神経、脳神経７番顔面神経、脳神経８番聴覚神経、脳神経９番舌咽神経、脳神経１０番迷走神経、脳神経１１番副神経、脳神経１２番舌下神経までのそれぞれの神経を検査する。また、頚椎１番、２番についても検査可能である。脳幹部を模したイメージ部１２１が略中央部に描かれており、その左右に左側か右側の障害かを検査するためのスケール部１２６、１２７が描かれている。
【００２６】
図１３は本考案の筋肉・筋力反射検査用の機能表の一例であり、ブロードマンエリアの機能表である。この表は大脳表面の皮質にどの程度の機能低下があるか、主な部位を番号に対応して検査を行なう。運動野（４、６、８）、前頭野（９、１０、１１）、視覚野（１７、１８、１９）、言語野（２２、４４、４５）などを検査し、障害部位を特定したり、機能低下率を測定することができる。脳を模したイメージ部１３１が略中央部に描かれており、その周囲に運動野、前頭野、視覚野、言語野の障害かを検査するための各スケール部１３６〜１３９が描かれている。
【００２７】
図１４は本考案の筋肉・筋力反射検査用の機能表の一例であり、ヘモグロビン機能表である。この表により、酸素の結合度を検査することができ、α・βポリペプチド鎖の機能低下率を検査することができる。この検査結果から貧血の状態を確認することも可能である。ヘモグロビンを模したイメージ部１４１が略中央部に描かれており、その周囲にα・βポリペプチド鎖が障害かを検査するための各スケール部１４６、１４７が描かれている。
【００２８】
図１５、図１６はそれぞれα鎖のアミノ酸配列機能表、β鎖のアミノ酸配列機能表である。これらの表を用いて酸素結合を阻害しているアミノ酸を検知することを支援する。各図の中央部には、α・βポリペプチド鎖を模したイメージ部１５１、１６１が描かれており、右肩部にそれぞれスケール部１５６、１６６が描かれている。
【００２９】
図１７は本考案の筋肉・筋力反射検査用の機能表の一例であり、大脳６点筋力反射治療点についての機能表である。大脳の運動野を刺激して、機能バランスを取る部位を測定および治療するための表であって、利用の仕方としては、先ず筋力反射テストにより＃１〜＃６までをチェックして、機能低下部位を確認する、機能低下部位を刺激により治療する。再度、筋力反射テストを行い、抵抗力がついたかどうかを確認する。図の上側中央部にはヒトの顔を模したイメージ部１７１が描かれており、下側にそれぞれスケール部１７６が描かれる。
【００３０】
図１８は、本考案の筋肉・筋力反射検査用の機能表の一例であり、眼の共同注視運動の機能表である。この表は、脳神経障害により眼の動きが低下することが知られており、この経験則に基づく検査を行なうための表であり、障害部位の特定や眼の共同注視運動機能の低下率を検査することが可能である。各種の眼の動きを模したイメージ部１８１が略中央部に描かれており、その周囲に眼が障害かを検査するための各スケール部１８６が描かれている。
【００３１】
図１９は本考案の筋肉・筋力反射検査用の機能表の一例であり、赤血球・白血球の機能表である。赤血球の状態にも身体の健康状態と相関関係があり、健康体としては粘度が低いほうが好まれている。また、自律神経障害により白血球のバランスが崩れることがあり、赤血球のみならず、白血球としての顆粒球とリンパ球の機能低下を検査することは健康維持を図る上で重要である。図１９では、血液についての拡大写真を貼り合わせたイメージ部１９１が設けられており、その周囲には赤血球、顆粒球、リンパ球のそれぞれスケール部１９６、１９７、１９８が設けられている。
【００３２】
図２０は本考案の筋肉・筋力反射検査用の機能表の一例であり、風邪・花粉症検査の機能表である。この表は、免疫力低下による風邪、及び花粉症の機能低下を検査するものである。図中、先の免疫検査用の白血球としての顆粒球とリンパ球の各機能低下を検査するスケール部２０４が描かれており、検査に際して連動させるように指標値を得ることも可能である。図２０では、花粉の原因となる種々の植物についての写真を貼り合わせたイメージ部２０１が設けられており、また、風邪用のスケール部２０６、花粉症用のスケール部２０７も形成されている。
【００３３】
図２は本考案の筋肉・筋力反射検査用の機能表の一例であり、不妊症機能検査表である。本表は、自律神経障害による不妊症を特定するための検査表であり、子宮内膜は平滑筋で、この筋肉をコントロールしているのは副交感神経であることから、その副交感神経の働きに関する検査を行なう。図中、左側の上下にイメージ部２１１、２１２が配され、それぞれの部位に対応したスケール部２１６〜２１９が設けられる。
【００３４】
図２２は本考案の筋肉・筋力反射検査用の機能表の一例であり、腕神経叢機能表である。腕を支配する神経系の相関図であり、図２２に示す機能表によって障害部位を特定することが可能である。図の中央部には腕に関連する神経と神経レベルの相関関係を描いたイメージ部２２１が描かれており、その周囲にそれぞれスケール部２２６が描かれる。
【００３５】
図２３は本考案の筋肉・筋力反射検査用の機能表の一例であり、癌簡易機能表である。この機能表はどの部位に癌が発生しているかを大まかに検査する際に使用されるものであり、図の右側に各種の癌が部位名を伴って表記されたイメージ部２３１が設けられ、左側にスケール部２３６が形成される。
【００３６】
図２４は本考案の筋肉・筋力反射検査用の機能表の一例であり、簡易健康度機能表である。この簡易健康度機能表は簡単に健康度、疲労度、酸素欠乏度を検査するための表であり、それらの検査項目を表したイメージ部２４１〜２４３と、これらのイメージ部にそれぞれ対応したスケール部２４６〜２４８が形成される。
【００３７】
図２５は本考案の筋肉・筋力反射検査用の機能表の一例であり、疲れ表示器である。この疲れ表示器２５０は、次の３つの状態を脳神経細胞への酸素の取り込み率に応じて表示するものであり、イメージ部として機能する表示部２５１の表示状態は"ＯＫ"、"仮眠１５"、"危険"の３つの中から切り替えられて表示される。この表示切替の操作は施術師の手動による切り替えであっても良く、表示部２５１自体が液晶などの装置となるものであっても良い。疲れ表示器２５０には、スケール部として機能する３つの指標部２５６、２５７、２５８があり、図中（ａ）は疲れが５０％以下の場合の正常を表すものであり、指標部２５６を患者が指し示した状態で筋力検査により判定される。図中（ｂ）は５１％〜８５％の範囲の疲労度を示すものであり、１５分以上の仮眠を必要とする状態を示す。この時、指標部２５７を患者が指し示した状態で筋力検査により判定される。また、図中（ｃ）は８６％以上の疲れを表示し、相当の睡眠を必要とする。この場合、指標部２５８を患者が指し示した状態で筋力検査により判定される。
【００３８】
図２６乃至図２９は、それぞれ本考案の筋肉・筋力反射検査用の機能表の一例であり、筋肉機能表−１〜筋肉機能表−４を示す。略中央部に縦に並ぶように検査項目を表示したイメージ部２６１、２７１、２８１、２９１が各図それぞれ表示され、その左右両側にスケール部２６６、２６７、２７６、２７７、２８６、２８７、２９６、２９７が設けられている。これらの筋肉機能表−１〜筋肉機能表−４を使用することで、施術師が筋肉・筋力反射検査を行なうに際して、精度の高い指標を与えて患者の障害部位の特定に効果的に寄与することになる。
【００３９】
図３０及び図３１は本考案の筋肉・筋力反射検査用の機能表の一例であり、携帯電話用機能検査表−１と携帯電話用機能検査表−２を示す。これらの表に描かれている個々の表示部３００が携帯電話の表示画面に対応し、例えば、図３０の例では、糖尿病に関しては、糖尿病の項目部３０１とその項目部に隣接したスケール部３０２との組み合わせにより、また、図３１の例では、例えば健康度に関して健康度の項目部３１１とその項目部に隣接したスケール部３１２との組み合わせにより、携帯電話の表示画面を使用した検査が可能となる。
【００４０】
以上の本考案にかかる機能表では、スケール部に示される目盛には数字が離散的に配列されている例を示したが、他の表現、例えば"重い"、"軽い"、"正常"、"異常"などの表現やアルファベットなどの他の順序を示すような目盛であっても良い。また、スケール部の目盛部分も直線状としたが、曲線状、波形状、千鳥状、マトリクス状などであっても良い。
【図面の簡単な説明】
【００４１】
【図１】本考案の筋肉・筋力反射検査用の機能表の一例であり、足の長さの機能表である。
【図２】本考案の筋肉・筋力反射検査用の機能表の一例であり、足首の疲労機能表である。
【図３】本考案の筋肉・筋力反射検査用の機能表の一例であり、骨盤変異と機能低下率のチェック表である。
【図４】本考案の筋肉・筋力反射検査用の機能表の一例であり、坐骨神経・大腿神経の機能表である。
【図５】本考案の筋肉・筋力反射検査用の機能表の一例であり、大腰筋機能表である。
【図６】本考案の筋肉・筋力反射検査用の機能表の一例であり、大殿筋機能表である。
【図７】本考案の筋肉・筋力反射検査用の機能表の一例であり、腰椎・仙椎機能表である。
【図８】本考案の筋肉・筋力反射検査用の機能表の一例であり、頚椎機能表である。
【図９】本考案の筋肉・筋力反射検査用の機能表の一例であり、小脳機能低下率のチェック表である。
【図１０】本考案の筋肉・筋力反射検査用の機能表の一例であり、椎骨動脈及びＣ１〜Ｃ３の機能表である。
【図１１】本考案の筋肉・筋力反射検査用の機能表の一例であり、他の椎骨動脈機能表である。
【図１２】本考案の筋肉・筋力反射検査用の機能表の一例であり、脳幹部（脳神経）機能表である。
【図１３】本考案の筋肉・筋力反射検査用の機能表の一例であり、ブロードマンエリアの機能表である。
【図１４】本考案の筋肉・筋力反射検査用の機能表の一例であり、ヘモグロビン機能表である。
【図１５】本考案の筋肉・筋力反射検査用の機能表の一例であり、α鎖のアミノ酸配列機能表である。
【図１６】本考案の筋肉・筋力反射検査用の機能表の一例であり、β鎖のアミノ酸配列機能表である。
【図１７】本考案の筋肉・筋力反射検査用の機能表の一例であり、大脳６点筋力反射治療点についての機能表である。
【図１８】本考案の筋肉・筋力反射検査用の機能表の一例であり、眼の共同注視運動の機能表である。
【図１９】本考案の筋肉・筋力反射検査用の機能表の一例であり、赤血球・白血球の機能表である。
【図２０】本考案の筋肉・筋力反射検査用の機能表の一例であり、風邪・花粉症検査の機能表である。
【図２１】本考案の筋肉・筋力反射検査用の機能表の一例であり、不妊症機能検査表である。
【図２２】本考案の筋肉・筋力反射検査用の機能表の一例であり、腕神経叢機能表である。
【図２３】本考案の筋肉・筋力反射検査用の機能表の一例であり、癌簡易機能表である。
【図２４】本考案の筋肉・筋力反射検査用の機能表の一例であり、簡易健康度機能表である。
【図２５】本考案の筋肉・筋力反射検査用の機能表の一例であり、疲れ表示器である。
【図２６】本考案の筋肉・筋力反射検査用の機能表の一例であり、筋肉機能表−１である。
【図２７】本考案の筋肉・筋力反射検査用の機能表の一例であり、筋肉機能表−２である。
【図２８】本考案の筋肉・筋力反射検査用の機能表の一例であり、筋肉機能表−３である。
【図２９】本考案の筋肉・筋力反射検査用の機能表の一例であり、筋肉機能表−４である。
【図３０】本考案の筋肉・筋力反射検査用の機能表の一例であり、携帯電話用機能検査表−１である。
【図３１】本考案の筋肉・筋力反射検査用の機能表の一例であり、携帯電話用機能検査表−２である。
【符号の説明】
【００４２】
１１  右足
１２  左足
１６，１７  スケール部
１８、１９  目盛部
２１、２２  イメージ部
２６、２７  スケール部
３１、３２  イメージ部
３６、３７  スケール部
４１  イメージ部
４６、４７、４８、４９  スケール部
５１、５２  イメージ部
５６、５７  スケール部
６１、６２  イメージ部
６６、６７  スケール部
７１  イメージ部
７６、７７  スケール部
８１  イメージ部
８６、８７  スケール部
９１  イメージ部
９６、９７、９８  スケール部
１０１  イメージ部
１０６  スケール部
１１１、１１２  イメージ部
１１６、１１７  スケール部
１２１  イメージ部
１２６、１２７  スケール部
１３１  イメージ部
１３６〜１３９  スケール部
１４１  イメージ部
１４６、１４７  スケール部
１５１  イメージ部
１５６  スケール部
１６１  イメージ部
１６６  スケール部
１７１  イメージ部
１７６  スケール部
１８１  イメージ部
１８６  スケール部
１９１  イメージ部
１９６、１９７、１９８  スケール部
２０１  イメージ部
２０６、２０７  スケール部
２１１、２１２  イメージ部
２１６〜２１９  スケール部
２２１  イメージ部
２２６  スケール部
２３１  イメージ部
２３６  スケール部
２４１〜２４３  イメージ部
２４６〜２４８  スケール部
２５０  疲れ表示器
２５１  表示部
２５６、２５７、２５８  指標部
２６１、２７１、２８１、２９１  イメージ部
２６６、２６７、２７６、２７７、２８６、２８７、２９６、２９７  スケール部
３００  表示部
３０１、３１１  項目部  
３０２、３１２  スケール部
【図１】
0003130047.tif 000003
【図２】
0003130047.tif 000004
【図３】
0003130047.tif 000005
【図４】
0003130047.tif 000006
【図５】
0003130047.tif 000007
【図６】
0003130047.tif 000008
【図７】
0003130047.tif 000009
【図８】
0003130047.tif 000010
【図９】
0003130047.tif 000011
【図１０】
0003130047.tif 000012
【図１１】
0003130047.tif 000013
【図１２】
0003130047.tif 000014
【図１３】
0003130047.tif 000015
【図１４】
0003130047.tif 000016
【図１５】
0003130047.tif 000017
【図１６】
0003130047.tif 000018
【図１７】
0003130047.tif 000019
【図１８】
0003130047.tif 000020
【図１９】
0003130047.tif 000021
【図２０】
0003130047.tif 000022
【図２１】
0003130047.tif 000023
【図２２】
0003130047.tif 000024
【図２３】
0003130047.tif 000025
【図２４】
0003130047.tif 000026
【図２５】
0003130047.tif 000027
【図２６】
0003130047.tif 000028
【図２７】
0003130047.tif 000029
【図２８】
0003130047.tif 000030
【図２９】
0003130047.tif 000031
【図３０】
0003130047.tif 000032
【図３１】
0003130047.tif 000033
【手続補正書】
【提出日】平成18年9月27日(2006.9.27)
【手続補正１】
【補正対象書類名】実用新案登録請求の範囲
【補正対象項目名】全文
【補正方法】変更
【補正の内容】
【実用新案登録請求の範囲】
【請求項１】
シート状構造物の表面に印刷され所要の検査項目を特定するため被験者の検査対象を図案化したイメージ部と、前記シート状構造物の表面に印刷されて該イメージ部に隣接して配置されると共に所定の原点からの距離に依存した複数の離散した数値を略直線上に並べて構成される目盛部とを有し、筋肉反射検査若しくは筋力反射検査に際して前記被験者が前記目盛部上の所定の部位を指先で触れながら施術者が該被験者の筋力等を計測して、次いで前記目盛部上の異なる数値で指標される他の部位を該被験者が指先で触れた状態で再度施術者が該被験者の筋力等を計測し、前記目盛部上の異なる部位でのそれぞれ筋力等の差異に基づき前記被験者の障害の特定を可能とすることを特徴とする筋肉・筋力反射検査用機能表印刷物。
【手続補正２】
【補正対象書類名】明細書
【補正対象項目名】全文
【補正方法】変更
【補正の内容】
【考案の詳細な説明】
【技術分野】
【０００１】
本考案は、カイロプラクテックなどの施術における筋肉反射検査若しくは筋力反射検査に使用されて好適な筋肉・筋力反射検査用機能表印刷物に関し、特に精度良く被験者の障害部位を見出すことを可能にする筋肉・筋力反射検査用機能表印刷物に関する。
【背景技術】
【０００２】
従来、カイロプラクテックなどの施術においては、患者の障害部位を特定するためや、或いは特定した障害部位の障害の程度を見出すために、筋肉反射検査や筋力反射検査などが行なわれることがある。この反射検査は、患者の外部からの刺激や要素が身体や精神面に作用した時に、何らかの反応を示すことを利用した検査であり、その反射を筋肉や筋力に置き換えて反応を調べるようになっている。良く知られている検査方法としては、所謂オーリングを用いた検査法があり、患者の親指と人差し指、中指、或いは薬指で形成した輪を引き離すように、カイロプラクターなどの施術師が力を加えて、その時に引き起こされる指の筋肉の瞬間的な緊張の緩みを調べる方法などがある。
【０００３】
ところで、このような施術を行なう場合においては、診察の際、身体のゆがみ、かたむきなどを説明することがある。しかし、患者自身には今ひとつ実感としてわからないのが実状であり、このような問題を解決するためのものとして、身体ゆがみチェック表が既知である（例えば、特許文献１参照。）。これはチェック表の足型の上に乗り、目隠しまたは目を閉じてももを高くあげ、手を大きく振り６０回位足踏みを行い、足踏みが終わったらその場を動かず、目隠しを取り目をあけて位置を確認し足のつま先がどの方向に向いているか、（角度）前後にどの位動いているか確認して身体のゆがみ、かたむき具合をチェックするものである。
【０００４】
また、身体の歪みの検査方法として、被検者の身体の各関節及び可動部位における自力動作の状態を測定し、動作が容易な動作方向と、困難な動作方向とを調べることにより、身体の歪みを調べるようにしたものも知られている（例えば、特許文献２参照。）。また、身体の各関節部位がわかるように模擬した、身体全体の仰向け状態とうつ伏せ状態とを表す模擬身体図を描き、該図の関節部位に数字と記号及び図形により動作状態及びその方向、そして静止状態での体形の状態を表記して記録するようにしたものも知られている。
【０００５】
【特許文献１】特開２００５−２６１８８１
【特許文献２】特開２００３−３１０５７６
【考案の開示】
【考案が解決しようとする課題】
【０００６】
ところで、上述の特許文献１に記載されるチェック表は、患者自身が身体のゆがみを把握する為のものであり、カイロプラクターの障害部位の検出精度を高めるものではなく、また、上述の特許文献２に記載される記録表は体形の状態を表記して記録するようには構成されているが、最初に静止状態での身体の記録が必要であり、実際の筋肉反射検査や筋力反射検査などの特定の検査に直ぐには適用できないのが現実である。
【０００７】
そこで、本考案は、施術師が筋肉・筋力反射検査を行なうに際して、精度の高い指標を与えて患者の障害部位の特定に効果的に寄与する筋肉・筋力反射検査用機能表印刷物の提供を目的とする。
【課題を解決するための手段】
【０００８】
上述の技術的な課題を解決するため、本考案の筋肉・筋力反射検査用機能表印刷物は、シート状構造物の表面に印刷され所要の検査項目を特定するため被験者の検査対象を図案化したイメージ部と、前記シート状構造物の表面に印刷されて該イメージ部に隣接して配置されると共に所定の原点からの距離に依存した複数の離散した数値を略直線上に並べて構成される目盛部とを有し、筋肉反射検査若しくは筋力反射検査に際して前記被験者が前記目盛部上の所定の部位を指先で触れながら施術者が該被験者の筋力等を計測して、次いで前記目盛部上の異なる数値で指標される他の部位を該被験者が指先で触れた状態で再度施術者が該被験者の筋力等を計測し、前記目盛部上の異なる部位でのそれぞれ筋力等の差異に基づき前記被験者の障害の特定を可能とすることを特徴とする。
【０００９】
このような検査を用いて検査を行なう場合には、施術師は例えば一方の手で患者の身体、筋力等の状態を触診し、同時にその他方の手の指で機能表のスケール部を接触するように扱う。次いで患者に先ほどの身体の状態とは少しずれた身体の状態に移行してもらい、再度患者の筋力等の状態を触診して移行後の身体の状態による筋力の変化を他方の手の指でバランスとして感ずるが、このときに機能表のスケール部の目盛を読みながら強弱の均衡をとり、具体的な患者の身体の障害部位を特定したり、患者の身体の状態を把握するのに寄与する。
【００１０】
本考案の筋肉反射検査若しくは筋力反射検査に使用される機能表印刷物における前記目盛部は複数の離散した数値を並べて構成されるものとすることができ、また、前記目盛部の一部を被験者が接触して筋肉反射検査若しくは筋力反射検査が行なわれ、その検査結果に従って該被験者が接触する前記目盛部の一部をずらして再度検査が行なわれる様に構成することも可能である。さらに、本考案の好適な実施形態に従えば、前記イメージ部及びスケール部は印刷物若しくは電子機器のモニター画面上に展開される画像とすることができる。
【考案の効果】
【００１１】
本考案の筋肉・筋力反射検査用の機能表印刷物を筋肉反射検査若しくは筋力反射検査に使用することで、僅かな筋力の差などを当該機能表上の目盛部の数値に当て嵌めながら把握することができ、患者の障害部位の特定に対して客観的で精度の高い指標を与えて効果的な施術を図ることができる。また、一般に、整体やカイロプラクティックなどの手技療法による施術者の場合には、蓄積した個々の施術者の臨床経験や知識の情報を患者に対して説明することが困難であるが、本考案の機能表印刷物を用いることで患者にビジュアル化したイメージ情報を比較的に容易に伝えることができ、施術についての説明を簡便に済ませることができる。
【考案を実施するための最良の形態】
【００１２】
本考案の筋肉・筋力反射検査用の機能表印刷物の好適な実施形態について、図面を参照しながら説明する。
【００１３】
図１は本考案の筋肉・筋力反射検査用の機能表印刷物（以下、“機能表”と称す。）の一例であり、紙などのシート状構造物の表面に印刷された足の長さの機能表である。この例では、足の長さについて左右に違いがある場合にどちらの足が短いかを判別できることになる。図中、イメージ部は右足１１と左足１２のイラストであり、スケール部１６，１７は、離散した数値を目盛部１８、１９に設けた構成とされる。
【００１４】
このような図表を施術に際して用いる。具体的には、所謂オーリング法により患者には親指と人差し指を組み合わせてリングを作ってもらい、そのリング部分での筋力を検知する。同様に、親指と中指、薬指、小指を順次組み合わせてリングを作ってそのリング部分での筋力を検知する。筋力の検知は、指同士の輪が広がる方向に施術者が力を加えて行なわれる。このとき患者には当該機能表の一部に指先で触ってもらい、その目盛の位置を種々変更しながら、筋力の検知を繰り返し、どの程度の障害かを検知することができる。また、他の検知方法も用いることができ、このような検知法を例示すると、膝を下げる筋力検査（膝下げ筋力検査）、腕を水平する筋力検査、上体を倒れるようにする筋力検査などがある。膝を下げる筋力検査では、患者が腰掛けた状態で当該患者の例えば左手の人指し指により本考案にかかる機能表の一部を触れてもらい、患者の右足の膝をやや上げ、その上げた膝を施術者が手で押し下げるときの筋力を検査するものである。腕を水平する筋力検査は、左手の人指し指で本考案にかかる機能表の一部を触れてもらった上で、患者に腕を水平に保ってもらい、この水平に保持された腕に対しての施術者が力を加えて筋力を検査するものである。また、上体を倒れるようにする筋力検査は、患者に機能表の一部を指先などで触れてもらった上で患者にその上体を倒れ込ませるようにしてもらい、これに抗するように施術者が押し返すことで筋力を検査するものである。このような各筋肉・筋力検査は以下に説明する各機能表で使用に際して適宜用いられるものである。
【００１５】
図２は本考案の筋肉・筋力反射検査用の機能表の一例であり、足首の疲労機能表である。この例では、右足、左足の各足首にかかる疲労度をパーセンテージで表示し、さらにその障害が内側か外側か、右足か左足に何パーセント機能低下が出ているかを検知させる。両足についてのイメージ部２１、２２が描かれており、これらのイメージ部２１、２２に隣接してスケール部２６、２７が設けられている。使用方法は、前述の筋肉・筋力反射検査などに際して用いられ、施術の精度を向上させることができる。
【００１６】
図３は本考案の筋肉・筋力反射検査用の機能表の一例であり、骨盤変異と機能低下率のチェック表である。この骨盤変異と機能低下率のチェック表では、骨盤がどのように変形しているか、右後方下方か左後方下方か、さらに内方か外方へ変形しているか、その機能は何パーセント低下しているかを判別する。ほぼ中央に骨盤を描いたイメージ部３１が形成され、下側には骨盤の各部位を示す６つの骨盤を描いたイメージ部３２が設けられている。また、イメージ部３１の左右にはそれぞれ各部位に対応したスケール部３６，３７が形成されている。
【００１７】
図４は本考案の筋肉・筋力反射検査用の機能表の一例であり、坐骨神経・大腿神経の機能表である。この坐骨神経・大腿神経の機能表を用いることで、坐骨神経、脛骨神経、総腓骨神経のどちら側に、どの程度何パーセント障害があるか、大腿部に何パーセント障害があるか、そして右側か左側かに障害があるか、何パーセントの機能低下が生じているかが判別される。ほぼ中央に矢印の形状を描いたイメージ部４１が形成され、その周囲には大腿神経用のスケール部４６、坐骨神経用のスケール部４９、脛骨神経用のスケール部４８、総腓骨神経用のスケール部４７が形成されている。
【００１８】
図５は本考案の筋肉・筋力反射検査用の機能表の一例であり、大腰筋機能表である。この大腰筋機能表を用いることで、大腰筋に障害があるか、右側に障害があるか、左側に障害があるか、さらにどの程度の機能低下があるかなど、大腰筋神経部もあわせてその割合が判定される。表中、右上側に大腰筋についてのイメージ部５１が形成され、その側部に大腰筋についてのスケール部５６が形成される。また、表の左下側に大腰筋の神経系についてのイメージ部５２が形成され、その側部に大腰筋神経についてのスケール部５７が形成される。
【００１９】
図６は本考案の筋肉・筋力反射検査用の機能表の一例であり、大殿筋機能表である。この大殿筋機能表を使用することで、大殿筋に障害があるか、右側に障害があるか、左側に障害があるか、さらにどの程度の機能低下があるか、或いは大殿筋の支配している神経の出口に機能低下を起こしていないかを判別する。図５の大腰筋機能表と同様に、左上側に大殿筋についてのイメージ部６１が形成され、その側部に大殿筋についてのスケール部６６が形成される。また、表の右下側に大殿筋の神経系についてのイメージ部６２が形成され、その側部に大殿筋神経についてのスケール部６７が形成される。
【００２０】
図７は本考案の筋肉・筋力反射検査用の機能表の一例であり、腰椎・仙椎機能表である。腰椎に障害があるか、どの腰椎に障害があるか、その障害は右側か左側か、そしてその機能低下は何％か、次に仙椎に障害が出ているか、そしてどの仙椎に障害がでているか、その機能低下は何％かを判別診断する。図７のほぼ中心に腰椎・仙椎のイメージ部７１が形成され、腰椎用のスケール部７６と仙椎用のスケール部７７が形成されている。
【００２１】
図８は本考案の筋肉・筋力反射検査用の機能表の一例であり、頚椎機能表である。この表を利用して、頚椎に障害が出ているか、その障害は右側か左側かを検査する。次に頚椎の障害を、頚椎１番から胸椎１番までを検査し、且つ機能低下の割合を検査していく。図８においては、頚椎を模したイメージ部８１が略中央部に描かれており、その左右にスケール部８６、８７が描かれている。
【００２２】
図９は本考案の筋肉・筋力反射検査用の機能表の一例であり、小脳機能低下率のチェック表である。この小脳機能低下率のチェック表を用いて、小脳の障害を検査することができ、先ず、左側か右側の障害かを検査する。次に、小脳の機能低下の割合を検査する。表においては、小脳を模したイメージ部９１が略中央部に描かれており、その左右に左側か右側の障害かを検査するためのスケール部９６、９７が描かれている。また、小脳の機能低下の割合を検査するためのスケール部９８も描かれている。
【００２３】
図１０は、本考案の筋肉・筋力反射検査用の機能表の一例であり、椎骨動脈及びＣ１〜Ｃ３の機能表である。一般に椎骨動脈の圧迫狭窄を確認することは容易ではないが、頚椎のずれにより鑑別が可能である。検査は、頚椎１番の回旋により、障害が右に出ているか左に出ているかを検査する。次にどの程度の圧迫状態となっているかという機能低下の割合を検査する。脳底動脈から椎骨動脈、大動脈にいたる動脈系がイメージ部１０１が描かれており、左側には各動脈上のポイントに応じたスケール部１０６が形成されている。
【００２４】
図１１は、本考案の筋肉・筋力反射検査用の機能表の一例であり、他の椎骨動脈機能表である。図１０と同様に、椎骨動脈に関する機能を検査するための表であるが、イメージ部１１１、１１２にはＭＲ（磁気共鳴）による写真が用いられている。また、これらイメージ部１１１、１１２の左右には、スケール部１１６、１１７が設けられている。
【００２５】
図１２は本考案の筋肉・筋力反射検査用の機能表の一例であり、脳幹部（脳神経）機能表である。この脳幹部（脳神経）機能表は、脳幹から発生する脳神経の機能を検査する表であり、脳神経１２本のうちの脳幹からの１０本を検査する。すなわち、脳神経３番動眼神経、脳神経４番滑車神経、脳神経５番三叉神経、脳神経６番外転神経、脳神経７番顔面神経、脳神経８番聴覚神経、脳神経９番舌咽神経、脳神経１０番迷走神経、脳神経１１番副神経、脳神経１２番舌下神経までのそれぞれの神経を検査する。また、頚椎１番、２番についても検査可能である。脳幹部を模したイメージ部１２１が略中央部に描かれており、その左右に左側か右側の障害かを検査するためのスケール部１２６、１２７が描かれている。
【００２６】
図１３は本考案の筋肉・筋力反射検査用の機能表の一例であり、ブロードマンエリアの機能表である。この表は大脳表面の皮質にどの程度の機能低下があるか、主な部位を番号に対応して検査を行なう。運動野（４、６、８）、前頭野（９、１０、１１）、視覚野（１７、１８、１９）、言語野（２２、４４、４５）などを検査し、障害部位を特定したり、機能低下率を測定することができる。脳を模したイメージ部１３１が略中央部に描かれており、その周囲に運動野、前頭野、視覚野、言語野の障害かを検査するための各スケール部１３６〜１３９が描かれている。
【００２７】
図１４は本考案の筋肉・筋力反射検査用の機能表の一例であり、ヘモグロビン機能表である。この表により、酸素の結合度を検査することができ、α・βポリペプチド鎖の機能低下率を検査することができる。この検査結果から貧血の状態を確認することも可能である。ヘモグロビンを模したイメージ部１４１が略中央部に描かれており、その周囲にα・βポリペプチド鎖が障害かを検査するための各スケール部１４６、１４７が描かれている。
【００２８】
図１５、図１６はそれぞれα鎖のアミノ酸配列機能表、β鎖のアミノ酸配列機能表である。これらの表を用いて酸素結合を阻害しているアミノ酸を検知することを支援する。各図の中央部には、α・βポリペプチド鎖を模したイメージ部１５１、１６１が描かれており、右肩部にそれぞれスケール部１５６、１６６が描かれている。
【００２９】
図１７は本考案の筋肉・筋力反射検査用の機能表の一例であり、大脳６点筋力反射治療点についての機能表である。大脳の運動野を刺激して、機能バランスを取る部位を測定および治療するための表であって、利用の仕方としては、先ず筋力反射テストにより＃１〜＃６までをチェックして、機能低下部位を確認する、機能低下部位を刺激により治療する。再度、筋力反射テストを行い、抵抗力がついたかどうかを確認する。図の上側中央部にはヒトの顔を模したイメージ部１７１が描かれており、下側にそれぞれスケール部１７６が描かれる。
【００３０】
図１８は、本考案の筋肉・筋力反射検査用の機能表の一例であり、眼の共同注視運動の機能表である。この表は、脳神経障害により眼の動きが低下することが知られており、この経験則に基づく検査を行なうための表であり、障害部位の特定や眼の共同注視運動機能の低下率を検査することが可能である。各種の眼の動きを模したイメージ部１８１が略中央部に描かれており、その周囲に眼が障害かを検査するための各スケール部１８６が描かれている。
【００３１】
図１９は本考案の筋肉・筋力反射検査用の機能表の一例であり、赤血球・白血球の機能表である。赤血球の状態にも身体の健康状態と相関関係があり、健康体としては粘度が低いほうが好まれている。また、自律神経障害により白血球のバランスが崩れることがあり、赤血球のみならず、白血球としての顆粒球とリンパ球の機能低下を検査することは健康維持を図る上で重要である。図１９では、血液についての拡大写真を貼り合わせたイメージ部１９１が設けられており、その周囲には赤血球、顆粒球、リンパ球のそれぞれスケール部１９６、１９７、１９８が設けられている。
【００３２】
図２０は本考案の筋肉・筋力反射検査用の機能表の一例であり、風邪・花粉症検査の機能表である。この表は、免疫力低下による風邪、及び花粉症の機能低下を検査するものである。図中、先の免疫検査用の白血球としての顆粒球とリンパ球の各機能低下を検査するスケール部２０４が描かれており、検査に際して連動させるように指標値を得ることも可能である。図２０では、花粉の原因となる種々の植物についての写真を貼り合わせたイメージ部２０１が設けられており、また、風邪用のスケール部２０６、花粉症用のスケール部２０７も形成されている。
【００３３】
図２１は本考案の筋肉・筋力反射検査用の機能表の一例であり、不妊症機能検査表である。本表は、自律神経障害による不妊症を特定するための検査表であり、子宮内膜は平滑筋で、この筋肉をコントロールしているのは副交感神経であることから、その副交感神経の働きに関する検査を行なう。図中、左側の上下にイメージ部２１１、２１２が配され、それぞれの部位に対応したスケール部２１６〜２１９が設けられる。
【００３４】
図２２は本考案の筋肉・筋力反射検査用の機能表の一例であり、腕神経叢機能表である。腕を支配する神経系の相関図であり、図２２に示す機能表によって障害部位を特定することが可能である。図の中央部には腕に関連する神経と神経レベルの相関関係を描いたイメージ部２２１が描かれており、その周囲にそれぞれスケール部２２６が描かれる。
【００３５】
図２３は本考案の筋肉・筋力反射検査用の機能表の一例であり、癌簡易機能表である。この機能表はどの部位に癌が発生しているかを大まかに検査する際に使用されるものであり、図の右側に各種の癌が部位名を伴って表記されたイメージ部２３１が設けられ、左側にスケール部２３６が形成される。
【００３６】
図２４は本考案の筋肉・筋力反射検査用の機能表の一例であり、簡易健康度機能表である。この簡易健康度機能表は簡単に健康度、疲労度、酸素欠乏度を検査するための表であり、それらの検査項目を表したイメージ部２４１〜２４３と、これらのイメージ部にそれぞれ対応したスケール部２４６〜２４８が形成される。
【００３７】
図２５は本考案の筋肉・筋力反射検査用の機能表の一例であり、疲れ表示器である。この疲れ表示器２５０は、次の３つの状態を脳神経細胞への酸素の取り込み率に応じて表示するものであり、イメージ部として機能する表示部２５１の表示状態は“ＯＫ”、“仮眠１５”、“危険”の３つの中から切り替えられて表示される。この表示切替の操作は施術師の手動による切り替えであっても良く、表示部２５１自体が液晶などの装置となるものであっても良い。疲れ表示器２５０には、スケール部として機能する３つの指標部２５６、２５７、２５８があり、図中（ａ）は疲れが５０％以下の場合の正常を表すものであり、指標部２５６を患者が指し示した状態で筋力検査により判定される。図中（ｂ）は５１％〜８５％の範囲の疲労度を示すものであり、１５分以上の仮眠を必要とする状態を示す。この時、指標部２５７を患者が指し示した状態で筋力検査により判定される。また、図中（ｃ）は８６％以上の疲れを表示し、相当の睡眠を必要とする。この場合、指標部２５８を患者が指し示した状態で筋力検査により判定される。
【００３８】
図２６乃至図２９は、それぞれ本考案の筋肉・筋力反射検査用の機能表の一例であり、筋肉機能表−１〜筋肉機能表−４を示す。略中央部に縦に並ぶように検査項目を表示したイメージ部２６１、２７１、２８１、２９１が各図それぞれ表示され、その左右両側にスケール部２６６、２６７、２７６、２７７、２８６、２８７、２９６、２９７が設けられている。これらの筋肉機能表−１〜筋肉機能表−４を使用することで、施術師が筋肉・筋力反射検査を行なうに際して、精度の高い指標を与えて患者の障害部位の特定に効果的に寄与することになる。
【００３９】
図３０及び図３１は本考案の筋肉・筋力反射検査用の機能表の一例であり、携帯電話用機能検査表−１と携帯電話用機能検査表−２を示す。これらの表に描かれている個々の表示部３００が携帯電話の表示画面に対応し、例えば、図３０の例では、糖尿病に関しては、糖尿病の項目部３０１とその項目部に隣接したスケール部３０２との組み合わせにより、また、図３１の例では、例えば健康度に関して健康度の項目部３１１とその項目部に隣接したスケール部３１２との組み合わせにより、携帯電話の表示画面を使用した検査が可能となる。
【００４０】
以上の本考案にかかる機能表では、スケール部に示される目盛には数字が離散的に配列されている例を示したが、他の表現、例えば“重い”、“軽い”、“正常”、“異常”などの表現やアルファベットなどの他の順序を示すような目盛であっても良い。また、スケール部の目盛部分も直線状としたが、曲線状、波形状、千鳥状、マトリクス状などであっても良い。
【図面の簡単な説明】
【００４１】
【図１】本考案の筋肉・筋力反射検査用の機能表印刷物の一例であり、足の長さの機能表である。
【図２】本考案の筋肉・筋力反射検査用の機能表印刷物の一例であり、足首の疲労機能表である。
【図３】本考案の筋肉・筋力反射検査用の機能表印刷物の一例であり、骨盤変異と機能低下率のチェック表である。
【図４】本考案の筋肉・筋力反射検査用の機能表印刷物の一例であり、坐骨神経・大腿神経の機能表である。
【図５】本考案の筋肉・筋力反射検査用の機能表印刷物の一例であり、大腰筋機能表である。
【図６】本考案の筋肉・筋力反射検査用の機能表印刷物の一例であり、大殿筋機能表である。
【図７】本考案の筋肉・筋力反射検査用の機能表印刷物の一例であり、腰椎・仙椎機能表である。
【図８】本考案の筋肉・筋力反射検査用の機能表印刷物の一例であり、頚椎機能表である。
【図９】本考案の筋肉・筋力反射検査用の機能表印刷物の一例であり、小脳機能低下率のチェック表である。
【図１０】本考案の筋肉・筋力反射検査用の機能表印刷物の一例であり、椎骨動脈及びＣ１〜Ｃ３の機能表である。
【図１１】本考案の筋肉・筋力反射検査用の機能表印刷物の一例であり、他の椎骨動脈機能表である。
【図１２】本考案の筋肉・筋力反射検査用の機能表印刷物の一例であり、脳幹部（脳神経）機能表である。
【図１３】本考案の筋肉・筋力反射検査用の機能表印刷物の一例であり、ブロードマンエリアの機能表である。
【図１４】本考案の筋肉・筋力反射検査用の機能表印刷物の一例であり、ヘモグロビン機能表である。
【図１５】本考案の筋肉・筋力反射検査用の機能表印刷物の一例であり、α鎖のアミノ酸配列機能表である。
【図１６】本考案の筋肉・筋力反射検査用の機能表印刷物の一例であり、β鎖のアミノ酸配列機能表である。
【図１７】本考案の筋肉・筋力反射検査用の機能表印刷物の一例であり、大脳６点筋力反射治療点についての機能表である。
【図１８】本考案の筋肉・筋力反射検査用の機能表印刷物の一例であり、眼の共同注視運動の機能表である。
【図１９】本考案の筋肉・筋力反射検査用の機能表印刷物の一例であり、赤血球・白血球の機能表である。
【図２０】本考案の筋肉・筋力反射検査用の機能表印刷物の一例であり、風邪・花粉症検査の機能表である。
【図２１】本考案の筋肉・筋力反射検査用の機能表印刷物の一例であり、不妊症機能検査表である。
【図２２】本考案の筋肉・筋力反射検査用の機能表印刷物の一例であり、腕神経叢機能表である。
【図２３】本考案の筋肉・筋力反射検査用の機能表印刷物の一例であり、癌簡易機能表である。
【図２４】本考案の筋肉・筋力反射検査用の機能表印刷物の一例であり、簡易健康度機能表である。
【図２５】本考案の筋肉・筋力反射検査用の機能表の一例であり、疲れ表示器である。
【図２６】本考案の筋肉・筋力反射検査用の機能表印刷物の一例であり、筋肉機能表−１である。
【図２７】本考案の筋肉・筋力反射検査用の機能表印刷物の一例であり、筋肉機能表−２である。
【図２８】本考案の筋肉・筋力反射検査用の機能表印刷物の一例であり、筋肉機能表−３である。
【図２９】本考案の筋肉・筋力反射検査用の機能表印刷物の一例であり、筋肉機能表−４である。
【図３０】本考案の筋肉・筋力反射検査用の機能表の一例であり、携帯電話用機能検査表−１である。
【図３１】本考案の筋肉・筋力反射検査用の機能表の一例であり、携帯電話用機能検査表−２である。
【符号の説明】
【００４２】
１１  右足
１２  左足
１６，１７  スケール部
１８、１９  目盛部
２１、２２  イメージ部
２６、２７  スケール部
３１、３２  イメージ部
３６、３７  スケール部
４１  イメージ部
４６、４７、４８、４９  スケール部
５１、５２  イメージ部
５６、５７  スケール部
６１、６２  イメージ部
６６、６７  スケール部
７１  イメージ部
７６、７７  スケール部
８１  イメージ部
８６、８７  スケール部
９１  イメージ部
９６、９７、９８  スケール部
１０１  イメージ部
１０６  スケール部
１１１、１１２  イメージ部
１１６、１１７  スケール部
１２１  イメージ部
１２６、１２７  スケール部
１３１  イメージ部
１３６〜１３９  スケール部
１４１  イメージ部
１４６、１４７  スケール部
１５１  イメージ部
１５６  スケール部
１６１  イメージ部
１６６  スケール部
１７１  イメージ部
１７６  スケール部
１８１  イメージ部
１８６  スケール部
１９１  イメージ部
１９６、１９７、１９８  スケール部
２０１  イメージ部
２０６、２０７  スケール部
２１１、２１２  イメージ部
２１６〜２１９  スケール部
２２１  イメージ部
２２６  スケール部
２３１  イメージ部
２３６  スケール部
２４１〜２４３  イメージ部
２４６〜２４８  スケール部
２５０  疲れ表示器
２５１  表示部
２５６、２５７、２５８  指標部
２６１、２７１、２８１、２９１  イメージ部
２６６、２６７、２７６、２７７、２８６、２８７、２９６、２９７  スケール部
３００  表示部
３０１、３１１  項目部  
３０２、３１２  スケール部
【手続補正書】
【提出日】平成18年12月15日(2006.12.15)
【手続補正１】
【補正対象書類名】実用新案登録請求の範囲
【補正対象項目名】全文
【補正方法】変更
【補正の内容】
【実用新案登録請求の範囲】
【請求項１】
シート状に形成された基材と、
前記基材の片面に積層された印刷層とを備え、
前記印刷層は、所要の検査項目を特定するための被験者の検査対象を表す様に形成されたイメージ部と、
所定の原点からの距離に依存した複数の離散した数値を略直線上に並べる様に形成されたスケール部とを備え、
筋肉反射検査若しくは筋力反射検査に際して前記被験者が前記目盛部上の所定の部位を指先で触れながら施術者が該被験者の筋力等を計測して、次いで前記目盛部上の異なる数値で指標される他の部位を該被験者が指先で触れた状態で再度施術者が該被験者の筋力等を前記印刷層からの反力に応じて計測し、前記目盛部上の異なる部位でのそれぞれ筋力等の差異に基づき前記被験者の障害の特定を可能とすること、
を特徴とする筋肉・筋力反射検査用機能表印刷物。
【手続補正２】
【補正対象書類名】明細書
【補正対象項目名】０００８
【補正方法】変更
【補正の内容】
【０００８】
上述の技術的な課題を解決するため、本考案にかかる筋肉・筋力反射検査用機能表印刷物は、シート状に形成された基材と、前記基材の片面に積層された印刷層とを備え、前記印刷層は、所要の検査項目を特定するための被験者の検査対象を表す様に形成されたイメージ部と、所定の原点からの距離に依存した複数の離散した数値を略直線上に並べる様に形成されたスケール部とを備え、筋肉反射検査若しくは筋力反射検査に際して前記被験者が前記目盛部上の所定の部位を指先で触れながら施術者が該被験者の筋力等を計測して、次いで前記目盛部上の異なる数値で指標される他の部位を該被験者が指先で触れた状態で再度施術者が該被験者の筋力等を前記印刷層からの反力に応じて計測し、前記目盛部上の異なる部位でのそれぞれ筋力等の差異に基づき前記被験者の障害の特定を可能とすることを特徴とする。